Podtech/llm-jp-corpus-v4-ja_patent huggingface dataset:
(57)【要約】      （修正有）【課題】経費を掛けずに社名や商品の宣伝広告を行い、且つ、売上向上に効果を発揮する宣伝広告掲載型経理事務伝票を開発・提供する。【解決手段】請求書・納品書・物品受領書等の経理事務伝票の裏面部に、印刷を依頼したお客側の社名や商品の宣伝広告を掲載したものである。尚、伝票の大きさや内容や形式は各会社や商店等によって様々であり、どんな伝票であったとしても公告を印刷して掲載可能であり、限定されない。【選択図】図１
0003148913.tif 000002
【実用新案登録請求の範囲】
【請求項１】
請求書・納品書・物品受領書等の経理事務伝票（１）の裏面部に、その会社及び商店等の社名・店名や商品の宣伝広告（ＡＤ）を印刷掲載した事を特徴とする宣伝広告掲載型経理事務伝票。
【考案の詳細な説明】
【技術分野】
【０００１】
この考案は、宣伝広告掲載型経理事務伝票に関するものである。
【背景技術】
【０００２】
従来、請求書・納品書・物品受領書等の経理事務伝票は、お客様が保管し、必要に応じてそれを取り出し、経理事務処理される為、本来伝票としての機能しか果たさないのが通常である。
【０００３】
しかし、昨今、日本国内のみならず、世界各国で不況の嵐が吹き荒れる中、少しでも経費節減や無駄排除等の業務改善を図り、この難局を乗り越える必要がある。
【０００４】
そうした状況の中、伝票の印刷業者が伝票の印刷を依頼するお客さま（会社・商店等）に対して、納品書の裏面にその会社や商店の商品の宣伝広告を無料で印刷するというサービスを提案した。そうする事で伝票（納品書・請求書等）の印刷を依頼するお客さまが増え、且つ、印刷を依頼したお客側も会社や商店の商品の宣伝広告費用がいっさい掛らない為、印刷業者側と印刷依頼客側の双方にとってメリットがある。
【０００５】
これまでに考案され出願されている請求書及び納品書に関する特許文献を参考の為、紹介する（特許文献１〜２参照）。
【特許文献１】特開２００１−３０６７７７
【特許文献２】特開２００４−２６２０１９
【考案の開示】
【考案が解決しようとする課題】
【０００６】
そこで、上記課題を解決する為に、この考案は経費を掛けずに社名や商品の宣伝広告を行い、且つ、売上向上に効果を発揮する宣伝広告掲載型経理事務伝を開発・提供する事にある。
【課題を解決するための手段】
【０００７】
この課題を解決するための手段として、請求書・納品書・物品受領書等の経理事務伝票の裏面部に、その会社及び商店等の社名・店名や商品の宣伝広告を印刷掲載した事を特徴とするものである。
【考案の効果】
【０００８】
この考案の効果として、請求書・納品書・物品受領書等の経理事務伝票の裏面部に、その会社及び商店等の社名・店名や商品の宣伝広告を印刷掲載した事で、取り扱い商品の売り上げ向上及びその会社や商店の知名度向上に繋がる等、極めて有益なる効果を奏するものである。
【考案を実施するための最良の形態】
【０００９】
この考案の最良の形態として、宣伝広告を掲載する範囲がスペース的に限られている為、広告内容の要点を絞り込み、使用する活字や色彩や配置等を簡単明瞭に表示して、最大の効果が出る様、工夫する事が重要である。
【実施例１】
【００１０】
そこで、この考案の一実施例を図１〜図２に基づいて詳述すると、請求書・納品書・物品受領書等の経理事務伝票（１）の裏面部に、その会社及び商店等の社名・店名や商品の宣伝広告（ＡＤ）を印刷掲載した事を特徴とする宣伝広告掲載型経理事務伝票から構成される。
【００１１】
次に、この考案の詳細について説明すると、図１は伝票の一例を示し、請求書（１ａ）と納品書（１ｂ）と物品受領書（１ｃ）をそれぞれ縦向きに配置して印刷し、各伝票をそれぞれミシン目の入った切り取り線（ＣＬ）から切り離し分割可能にしたもので、この伝票の納品書裏面部（１ｂ'）に広告（ＡＤ）を掲載したものである。
【００１２】
又、上記広告（ＡＤ）の内容については伝票の印刷を依頼する会社や商店等の要求に沿ったものに内容を変更可能である。
【実施例２】
【００１３】
その他の実施例として、図３に示す様に伝票の請求書裏面（１ａ）と納品書裏面（１ｂ）と物品受領書裏面（１ｃ）にそれぞれ同一の広告を掲載し、ミシン目の入った切り取り線（ＣＬ）からそれぞれ切り離しても広告（ＡＤ）の内容が解る様にする事も可能である。
【００１４】
更に、伝票の大きさや内容や形式は各会社や商店等によって様々で有り、どんな伝票であったとしても広告を印刷して掲載可能であり、限定はされない。
【産業上の利用可能性】
【００１５】
この考案の宣伝広告掲載型経理事務伝票は、経費を掛けずに社名や商品の宣伝広告を行い、且つ、売上向上及びその会社や商店の知名度向上に繋がり、又、印刷の注文を受ける印刷業者側にとってもメリットが有り、多くの伝票を扱う会社や商店に寄与する為、産業上の利用可能性を有する。
【図面の簡単な説明】
【００１６】
【図１】この考案の一実施例を示し、宣伝広告掲載型経理事務伝票の正面図である。
【図２】この考案の一実施例を示し、宣伝広告掲載型経理事務伝票の裏面図である。
【図３】その他の実施例を示し、各伝票の裏面部に広告を掲載した時の宣伝広告掲載型経理事務伝票の裏面図である。
【符号の説明】
【００１７】
１  経理事務伝票
１ａ  請求書表面
１ｂ  納品書表面
１ｃ  物品受領書表面
１ａ'  請求書裏面
１ｂ'  納品書裏面
１ｃ'  物品受領書裏面
ＡＤ  広告
ＣＬ  切り取り線
【図１】
0003148913.tif 000003
【図２】
0003148913.tif 000004
【図３】
0003148913.tif 000005
(57)【要約】      （修正有） 【課題】読書中にしおりとして利用しながら必要に応じてミシン目に沿って簡単に切離し付箋としてすぐに利用するとともに、しおりを無駄なく再利用できるミシン目入りのしおりを提供する。【解決手段】しおり１に適当な間隔で横方向または縦方向あるいは両方向にミシン目２を入れておき、ミシン目に沿って切離して付箋３として利用することを可能にすることにより、本考案のしおり１のみを持って外出し、読書中はしおり１として利用しながら、必要に応じて簡単に切離し付箋３として直ぐに利用でき、しおりの再利用ができる。【選択図】図１
0003148982.tif 000002
【実用新案登録請求の範囲】
【請求項１】
切離して付箋として利用できるように適当な間隔で横方向または縦方向あるいは両方向にミシン目が入っていることを特徴とする、しおり。
【考案の詳細な説明】
【技術分野】
【０００１】
本考案は、切離して付箋として利用できるように一部にミシン目を入れた、しおりに関するものである。
【背景技術】
【０００２】
従来、書籍を読む際しおりと付箋の二つを用意し利用していた。また読み終わった後、しおりは再利用することが少なく廃棄していた。
【考案の開示】
【考案が解決しようとする課題】
【０００３】
従来、外出時に読書する場合しおりと付箋の両方を持って行き、読書中はしおりを他のページに挟む一方、脇に用意した付箋を取出して使用することが大変面倒であった。また読書後は、しおりはほとんど再利用することがなく無駄になってしまう。従って、しおりの機能と付箋の機能を一体化することにより、外出時には本考案のしおりを本に気軽に挟んで持っていけ、またしおりの一部を付箋と利用することが可能になり前述の欠点を解決しようとするものである。
【課題を解決するための手段】
【０００４】
本考案は、しおりに適当な間隔で横方向または縦方向あるいは両方向にミシン目を入れおき、しおりとして利用しながら、必要に応じてミシン目に沿って切離して付箋として利用することを可能にすることにより問題点を解決している。
【考案の効果】
【０００５】
本考案のミシン目入りのしおりは、しおりに付箋の機能を付加したもので、従来のように、しおりと付箋の二つを持って出かける面倒がなく、読書中は必要に応じて本に挟んでいる、しおりから簡単に切離して付箋としてすぐに利用できるとともに、残りの部分は、しおりとして引続き利用できる。また、従来廃棄していた、しおりを再利用できる。
【考案を実施するための最良の形態】
【０００６】
しおりに適当な間隔で横方向または縦方向あるいは両方向にミシン目を入れる。必要な時にミシン目に沿って切離すことにより付箋として利用できるとともに、残りの部分は、しおりとして引続き利用できる。
【実施例】
【０００７】
以下、添付図面に従って一実施例を説明する。１はミシン目入りしおりであり、しおりにミシン目２を適当な間隔で横方向または縦方向あるいは両方向に入れておき、必要に応じてミシン目２に沿って付箋３を切離す。切離した付箋４を書籍に挟んで利用する。残ったしおり１は引続き、しおりとして利用する。
【図面の簡単な説明】
【０００８】
【図１】本考案のミシン目入りしおりの一実施例を示す平面図である。
【図２】本考案のしおりの一部をミシン目に沿って切離した付箋と残りのしおりの平面図である。
【符号の説明】
【０００９】
１  ミシン目入りしおり全体
２  ミシン目
３  ミシン目に沿って切離し付箋として利用する部分
４  しおりからミシン目に沿って切離した付箋
【図１】
0003148982.tif 000003
【図２】
0003148982.tif 000004
(57)【要約】      （修正有）【課題】全ポーラスコンクリート積みブロックであって、植物の付着繁殖をより一層しやすい積みブロックを提供する。      【解決手段】胴部材の間に空隙を設け、この空隙部に中込み材として現地発生土を用い、控え部に導水溝を設け、この導水溝を前記空隙部に連通して、表面に付着した植物が繁殖しやすい環境とした全ポーラスコンクリート積みブロックである。これにより、背面水圧による擁壁の崩壊を防ぐと共に、緑化を促して環境の良化にも貢献できる。【選択図】図２
0003148903.tif 000002
【実用新案登録請求の範囲】
【請求項１】
中込材埋入用の空隙部（４）を挟んで２本の胴部材（３），（３）を設け、該胴部材（３），（３）を中心として前面に表出面（１）を設け、後方に控え部（２）を設けたブロックＡであって、控え部（２）上面に導水溝（５）を前記、空隙部（４）に連通するように設け、全体をポーラスコンクリートで成形したポーラスコンクリート積みブロック。
【考案の詳細な説明】
【技術分野】
【０００１】
本考案は、中心部に中込材を埋入する空隙部を設け、全体を多孔質のポーラスコンクリートで成形した積みブロックに関する。
【背景技術】
【０００２】
一般にコンクリート積みブロックによって構築された護岸や擁壁は背面水圧によって崩壊するおそれがあり、このため通常の構築にあっては排水管を適所に挿入して水圧を除去している。
また他方ポーラスコンクリートブロックについてもいくつかの開発がみられている。
【特許文献１】特開２００４−１６２３７２号公報
【考案の開示】
【考案が解決しようとする課題】
【０００３】
ポーラスコンクリート自体は多孔質で透水性があるため護岸や擁壁等を構築した場合、表面が粗荒面であって、植物の付着育生に良好な結果が得られるが、この植物の付着、育生は、多孔質であるためと、保水性があることによって得られる点にある。しかし、この植物の育生は単に水があるためのみで育生の条件とすることは好ましくない。  
【課題を解決するための手段】
【０００４】
考案者は、この点に鑑み鋭意試作研究の結果、本考案に到達したもので、本考案は図示するように、ブロックＡの中央に空隙部（４）を設ける形状とし、この空隙部（４）に施工の際に排出された現地発生土を中込材として埋入し、さらに控え部（２）に導水用の溝（５）を設けて、擁壁背面から浸出する水を中込材に導入して、中込材を常に浸潤に保つ
ことができる。このためブロックＡの表面に付着した植物はポーラスの中に根張りするのみでなく、中込材（６）まで達して成長をたすけ安定した緑化が図れる。
【０００５】
そして本考案のブロックＡは全体をポーラスコンクリートで成形されているとはいえ、控え部（２）が大形に成形されているため耐久的な強度もあり安定した構築が期待できる。
【考案の効果】
【０００６】
本考案は全ポーラスコンクリート積みブロックで、透水機能があり、背面水圧よる擁壁の崩壊を防ぎ自然の涌水現象を保全する。そして、このブロックＡは中央に中込材（現地発生土）を入れることにより、ブロック表面に付着した植物の繁殖をしやすくし、又控え部に溝を設けて中込材にも通水が可能なため付着植物の育生をたすけ、緑化を促すため温
暖化防止効果もあり、環境の良化に貢献する効果は大きい。  
【実施例】
【０００７】
添付図面により本考案を説明すると、図１は本考案のポーラスコンクリート積みブロックの全体を示す斜視図であるが、作図上多孔質のポーラス面は省略する。
【０００８】
このブロックの形状的な特徴は中央に２本の胴部材（３），（３）と空隙部（４）を設けた点にあり、この空隙部（４）に施工に当って中込材（６）を埋入することにある。図中の（１）は表出面を示している。（２）は控え部であり、この控え部（２）の上面に導水溝（５）を設ける。
【０００９】
図２は平面図であり、この平面図によって本考案のブロックＡが全体ポーラスコンクリートで成形されていることが理解される。
【００１０】
図３は構築の一部を示す実施例図である。この積工にあっては本考案のポーラスコンクリート積みブロックＡを並べ、空隙部（４）に中込材（６）である現場発生土を埋入する。この際図示するように空隙部（４）は胴部材（３），（３）の間だけでなく、ブロックＡを並べると、ブロックＡとＡとの間にも空隙部（４１）が生じるためこの空隙部（４１）にも中込材（６）を投入して構築を進める。そして控え部（２）の空間に胴込コンクリートを打設し、更に裏込砕石を設けて擁壁が完成する。
【００１１】
このように本考案のポーラスコンクリートで構成された積みブロックＡは透水機能があり、構築した場合背面からの水圧による崩壊を防ぐ。そして自然の湧出現象によってブロックＡの表面に付着した植物はうるおい育生が進み、更に付着した植物の根はブロックの多孔質間より中込材まで達する。そして、この中込材は現場発生土を使用しているため現地で付着した植物と合い、その育生を盛んにする。
【産業上の利用可能性】
【００１２】
上述のように本考案は、胴込コンクリート部材の一部に中込材を入れることで、表面に付着した植物の繁殖をたすけ、緑化を盛んにするため、温暖化問題が叫ばれている今日、本考案のブロックの利用度合はきわめて大きいと思慮する。  
【図面の簡単な説明】
【００１３】
【図１】ブロックＡの全体を表わす斜視図
【図２】ブロックＡの平面図
【図３】構築の一部を示す実施例図
【符号の説明】
【００１４】
１  表出面
２  控え部
３  胴部材
４  空隙部
４１  合羽により生じる空隙
５  導水溝
６  中込材
【図１】
0003148903.tif 000003
【図２】
0003148903.tif 000004
【図３】
0003148903.tif 000005
(57)【要約】      （修正有）【課題】定規を内蔵して精度よく、長さを定めて切断できるセロハンテープカッターを提供する。【解決手段】直角に折曲したスチール製のＬ字形定規の長辺部に目盛を印字し、短辺側の頂部に切断刃覆い兼テープ定着片となる折返し部を設け、この定規の長辺部をカッター本体底部に引出し自在に収納し、短辺部をカッター本体に配置して定規を引出すことによりテープも引出されて同じ長さをカットできる。【選択図】図２
0003148904.tif 000002
【実用新案登録請求の範囲】
【請求項１】
直角に折曲したＬ字形定規Ｂの長辺部（１）に目盛（２）を刻み、短辺側（３）頂部に安全カバー及びテープ定着片（４）を折曲して設けた該定規Ｂの長辺部（１）をカッター本体Ａの底部（４１）に引出し自在に設けたことを特徴とした定規付きのセロハンテープカッター。
【考案の詳細な説明】
【技術分野】
【０００１】
セロハンテープカッターに定規を内蔵したセロハンテープカッターに関し、定規を引出すことによりセロハンテープを所定の長さに切断可能とする。  
【背景技術】
【０００２】
一般にセロハンテープはカッターが装着されていて、所定の長さ引出して使用している。したがってセロハンテープを切断して使用する際は殆ど無雑作に引出すためテープの無駄があることや、逆にテープが短くて貼着することができず再びテープを引出すという不便があった。
【特許文献１】特開平０９−３０９６６１号公報
【考案の開示】
【考案が解決しようとする課題】
【０００３】
本考案は、セロハンテープ（以下テープという）の引出しに際して無雑作に引出してテープの無駄をなくし、またテープの切断長さを正確にスムーズに切断できるセロハンテープ切断器を提供する。
【課題を解決するための手段】
【０００４】
考案者は、この点に鑑み鋭意研究の結果本考案に到達したもので、本考案を図面により説明すると、本考案は直角に折曲したＬ字形の定規Ｂを用い、このＬ字形定規Ｂの長辺部（１）に寸法目盛（２）を刻み、Ｌ字形定規Ｂの短辺側（３）の先端を折曲げて安全カバー兼テープ定着片（４）とし、このＬ字形定規Ｂの長辺部（１）をカッター本体Ａ底部内に引出し自在に収納することでこのＬ字形定規Ｂを引出して目盛を読むことにより、Ｌ字形定規Ｂの短辺側（３）の先端（４）に貼付されているテープが引出され、カッター（５）で切断することによって、引出した定規Ｂの目盛と同じ長さに切断することができる。
【考案の効果】
【０００５】
本考案のセロハンテープカッターは直角に折曲した定規Ｂを使用することによって、所望長さのテープを正確に切断して使用することができるため、テープの使用の無駄をなくし、この操作を簡単に行うものであって、省エネに貢献する効果は著しい。
【実施例】
【０００６】
添付図面により本考案を説明すると、図１はテープカッター本体Ａの使用の状態及び全体の構造を示す側面図であって、カッター本体Ａの中央にはテープロールＰが懸架されていて図中の左方に引出されて、カッター（５）で切断する。カッター（５）側部に示す符号（６）は、切断したテープの端を止める定着片である。
【０００７】
図２はスチール製の帯状体を直角に折曲した定規Ｂの斜視図であり、Ｌ字形の長辺（１）に目盛（２）が糎単位に印字されている。この長さは約２０ｃｍであり、短辺側（３）はカッター本体Ａのカッター（５）側の側辺と同じ高さとし、定規Ｂは図示するように長辺（１）をカッター本体Ａ底面Ａ１に引出し自在に収納されている。図中の符号（８）はツマミであって、定規Ｂ引出し用として用いる。
【０００８】
この考案の使用態様を説明すると、図１を参照して、Ｌ型定規Ｂを目盛（２）、例えば「角２形」封筒の封じをする場合、封筒の幅に合せて１０ｃｍの長さ（１０）のテープが必要となる。したがってＬ形定規Ｂのツマミ（８）を持って引出し目盛（２）を１０ｃｍの目盛で止める。すると図示の破線で示すようにテープも１０ｃｍ引出されるので、カッター（５）を利用してテープを切断すると１０ｃｍ長さのテープを得ることができ、封筒の開口部に正確に貼着することができる。そして、切断した後のテープは定規側の定着片（４）に残り、次の操作を待つ。
【産業上の利用可能性】
【０００９】
上述のように本考案のテープカッターＡは、セロハンテープを所望の長さに切断することができるため、テープの無駄がなく、数多く連続して使用する場合便利に利用できるため事務上は勿論のこと家庭用としても広く使用できる。
【図面の簡単な説明】
【００１０】
【図１】本考案のテープカッターの使用状態を示す実施例図
【図２】Ｌ字形定規の斜視図
【符号の説明】
【００１１】
１  Ｌ字形定規の長辺  
２  Ｌ字形定規の短辺
３  定規の目盛  
４  安全カバー及びテープ定着片
５  カッター  
６  テープ定着片
８  ツマミ  
１０  テープ引出し長さ
Ａ  テープカッター本体
Ａ１  テープカッターの底部
Ｐ  セロハンテープロール
Ｂ  Ｌ字形定規
【図１】
0003148904.tif 000003
【図２】
0003148904.tif 000004
(57)【要約】      （修正有）【課題】コンクリートブロックの胴部にポケットを設け、このポケット部に水を導入する導水溝を設けることによって、植物の成長を促す植生用積ブロックを提供する。      【解決手段】合羽５を中心として正面に台形の凸出部１を設け、後方に控部２を設けたコンクリートブロックＡであって、台形の凸出部１にポケット３を設け、該ポケット３底面に水抜き用の欠部を設け、前記控部２の上面に導水溝４を設け、該導水溝４とポケット３を合致させたことを特徴とした。【選択図】図１
0003148902.tif 000002
【実用新案登録請求の範囲】
【請求項１】
合羽（５）を中心として正面に台形の凸出部（１）を設け、後方に控部（２）を設けたコンクリートブロックＡであって、台形の凸出部（１）にポケット（３）を設け、該ポケット（３）底面に水抜き用の欠部（７）を設け、前記控部（２）の上面に導水溝（４）を設け、該導水溝（４）とポケット（３）を合致させたことを特徴とした植生用積ブロック。
【考案の詳細な説明】
【技術分野】
【０００１】
本考案は、ブロック自体にポケットを設け、このポケット部分に植生用の土及び種子を入れる特殊形状の積みブロックに関する。
【背景技術】
【０００２】
水害等から始まり、河川の護岸および法面、道路擁壁、宅地造成等を構築するコンクリートブロックの表出面は白一色の何の変化もない露出面であった。このため植生によって緑を戻すことが考えられて色々の技術が開発されている。
【特許文献１】特開平１１−１０５０２３
【考案の開示】
【考案が解決しようとする課題】
【０００３】
前記特許文献に示されている発明は、コンクリートブロックの芯を空洞とし、この中に砕石を埋めて植生部とし、砕石を通して水の流通を促がすという特殊形状の植生ブロックが示されている。
しかし、この先行植生ブロックは通水性を持たせる点で画期的であるが、成形が複雑で実用的でないという欠点を有している。
【０００４】
また植生する植物の生長には、水以外に土壌も必要であり、これを考えて土を多く採用するとブロックの擁壁面が脆くなって崩壊の危険もあり、更には擁壁面が土砂によって汚れる欠点を有している。
【課題を解決するための手段】
【０００５】
考案者は、植生に関しての土及び水の点について鋭意研究を重ねた結果本考案に到達したものであって、本発明はブロック自体にポケットを設け、このポケットの中に土と植物の種を入れ、またこのポケットを構築した際に裏面から水が導入される特殊形状のブロックを完成させたものである。
そして、このポケット（３）の底部には水抜き用の欠部（７）を設ける。このため、控え部の溝（４）から導水される排水は順次下方に移動するばかりでなく、ポケット（３）内の土は常に浸潤状態に保たれる。
【０００６】
したがって、このブロックによって構築された擁壁面は常に芽が生え、青々と水々しい壁面を形成し、河川の護岸に使用した場合には水面と一体となって美しい景観がかもし出されてなごやかな雰囲気となり、また道路の擁壁に施工した場合には周囲の気色に調和されるため精神的な安定が得られ安全運転が期待される。
【考案の効果】
【０００７】
本体部にポケットを設けて土や種を入れ、これに導水溝を設けて土中からの水分を導入することのできるブロックＡと、このブロックＡを積み上げて擁壁面を構築するため、植物の成長が早く、しかも根強く付着されるため緑に覆われ安らぎのある景観を創出できる。
またブロックの表面は滑面ではなく砕石状の粗面に仕上げのため目にやさしく環境に調和した雰囲気となって、河川の護岸や道路の擁壁等を美しく仕上げるという効果を奏する。  
【実施例】
【０００８】
添付図面により本考案の実施例を説明すると、図１は本考案の基本となるコンクリートブロックの斜視図であって、全体の形状が理解できる。          
図中の符号（１）は表出面であり、（２）は控部を形成している。（３）は本考案の特長であるポケット部であって、植生用の土及び植物の種を埋める凹部である。そして（４）は導水用の溝であって、図３に示すように控部（４）を法面の基礎の中に配置した際土中からの排水をポケット（３）の中に導入するように構成されている。
【０００９】
図２はブロックＡの平面図である。図示するように、ポケット（３）には水抜き用の欠部（７）が設けられている。図３はブロックＡを積み上げたときの部分説明図であって左右の合羽（５）を合せて積み上げて施工するもので図中の符号（５）は胴込めコンクリート、（６）は基礎砕石を示している。
【００１０】
本考案のブロックＡの構築に際しては図示していないが、通水パイプを基礎砕石（６）の中に埋設することによって基礎内からの排水を集中的にブロックＡのポケット（３）に導入することができ、そして、このポケット（３）の底部には水抜き用の欠部（７）を設ける。このため、控え部の溝（４）から導水される排水は順次下方に移動するばかりでな
く、ポケット（３）内の土は常に浸潤状態に保たれ、植生植物の成長を促すことができる。
【産業上の利用可能性】
【００１１】
上述のように本考案の植生用の積ブロックは、本体部にポケットを設けて土や種を入れ、これに導水溝を設けて土中からの水分を導入することのできるブロックＡと、このブロックＡを積み上げて擁壁面を構築するため、植物の成長が早く、しかも根強く付着されるため緑に覆われ安らぎのある景観を創出できる。
またブロックの表面は滑面ではなく砕石状の粗面に仕上げのため目にやさしく環境に調和した雰囲気となって、河川の護岸や道路の擁壁等を美しく仕上げるという効果を奏するため、この利用度合は広いと考える。  
【図面の簡単な説明】
【００１２】
【図１】ブロック全体を示す斜視図
【図２】ブロック全体の平面図
【図３】構築の部分図
【符号の説明】
【００１３】
１  表出面
２  控え部
３  ポケット
４  導水溝
５  合羽
６  基礎砕石
７  水抜き用欠部    
Ａ  本発明のブロック
【図１】
0003148902.tif 000003
【図２】
0003148902.tif 000004
【図３】
0003148902.tif 000005
【手続補正書】
【提出日】平成20年12月26日(2008.12.26)
【手続補正１】
【補正対象書類名】図面
【補正対象項目名】図２
【補正方法】変更
【補正の内容】
【図２】
0003148902.tif 000006
(57)【要約】【課題】高い停止精度を発揮し、かつ高精度、高機能の回転制御を特徴とする駆動用電動機ならびに減速機と組み合わせてその機器の性能を充分に引き出し、あるいはそれに対応できる搬送用ベルト。【解決手段】一般搬送ベルト２より伸張強度の大きい歯を有するタイミングベルト６と搬送ベルト２を平面平行に接合部材７を介して接合一体化し、駆動プーリ３および従動プーリ８がタイミングベルト６の歯と噛み合わせ、駆動プーリ３と一般搬送ベルト２の摩擦状態の変動による駆動および制動力ひいては搬送物の停止精度が影響を受けない構成とした。【選択図】  図１
0003148968.tif 000002
【実用新案登録請求の範囲】
【請求項１】
歯を有しない平ベルトの両サイドに沿って、伸張強度の大きい歯を有するタイミングベルトを平面平行に配置してなることを特徴とする高停止精度用搬送ベルト
【請求項２】
平ベルトとタイミングベルトを溶着成形により成形一体化してなる請求項１に記載の高停止精度用搬送ベルト
【考案の詳細な説明】
【技術分野】
【０００１】
荷役・搬送に使用する搬送ベルトの停止精度を高精度に行えるようにした高停止精度用搬送ベルトに関する。
【背景技術】
【０００２】
搬送ベルトとしては、図３に示すように二つの駆動プーリ間に平ベルトである一般搬送ベルト１２が掛け渡され、一方の駆動プーリ１３により駆動し、一般搬送ベルト１２上の搬送物１１を搬送移送し、所定の停止位置１４で停止させるものがある。
また、図４に示すような、搬送ベルトの全周に歯２５を設け、歯付き駆動プーリ２３で搬送ベルト２２を駆動するものがある。
【考案の開示】
【考案が解決しようとする課題】
【０００３】
図３の従来例では、一般搬送ベルト１２と駆動プーリ１３との接触面の摩擦力により一般搬送ベルト１２の駆動ならびに制動を行うために、平ベルトである一般搬送ベルト１２の伸びや乾燥状態あるいは搬送物１１の荷重の相違等その他の外的条件の変動を受けて、一般搬送ベルト１２と駆動プーリ１３の間に微妙なスリップが生じる。起動、停止を繰り返すことによりそれらが累計されて一般搬送ベルト１２ならびに搬送物１１の停止位置が所定位置１４から外れてしまう欠点がある。
【０００４】
また、図４、図５に示す従来例は、前記図３の従来例の欠点を克服するために、搬送ベルト２２の駆動プーリ２３と接触する側の全周に亘って内歯２５を設け、かつ駆動プーリ２３および、従動プーリにそれと噛み合う外歯を設け、駆動プーリと搬送ベルトの摩擦伝動でなく、噛み合いにより搬送ベルトを駆動するものがある。この例では図３で挙げた従来例の欠点は克服できるが、ベルトの特性により搬送ベルト１２が伸張した場合に、搬送ベルト全周に取り付けた内歯２５の間隔寸法が影響を受け、駆動プーリおよび従動プーリ側の歯との噛み合いに差異が生じ、本来の噛み合い機能が阻害される欠点がある。
【課題を解決するための手段】
【０００５】
本考案では、従来例の欠点を回避し、搬送物の停止精度のばらつきを無くし、要求仕様とされる停止精度を満足させることができ、そして実使用耐久性や保守などの面も含めた大きな改善効果が発揮できる高停止用精度搬送ベルトを提供するものです。
そのために、一般搬送ベルトに、伸張強度の大きい歯を有する特に自動車等においてクランクシャフトの回転をカムに伝動するのに使用されているタイミングベルトを組み合わせて製作したものです。
すなわち、歯を有しない平ベルトの両側に沿ってタイミングベルトを成形一体化し、歯を有する搬送ベルトとするものです。
【考案の効果】
【０００６】
本考案によれば搬送ベルトの停止、すなわち搬送物の停止精度に対して高い精度が期待できることとなり、回転制御に高精度、高機能を有する駆動用電動機ならびに減速機などと組み合わせることで、それらの駆動用機器の性能を充分に引き出せる、あるいは対応できる高停止精度を特徴とするベルトコンベヤ用ベルトとなり、一般産業用用途として広く応用しうるものです。
また、高価なタイミングベルトを両側のみとしたことによりコストの削減となっているものです。
【考案を実施するための最良の形態】
【０００７】
本考案を図１および図２に示す実施例に従って説明する。
歯を有しない平ベルトである一般搬送ベルト２の矢印Ａで示す走行方向の両サイドに、一般搬送ベルトよりも伸張強度が大きくそして大きい歯を有するタイミングベルト６を、平面平行に配置し、接合部材７を介して溶着成形により一体化してある。接合材としてはウレタン系樹脂等が適当である。
このように構成することで、駆動プーリ３および従動プーリ８は、両サイドでは、伸張強度の大きいタイミングベルト６の歯との噛み合い駆動を行い、中央の摩擦プーリ部が平ベルトの一般搬送ベルト部２を駆動する。このように歯の噛み合い駆動部が設けてあるので、駆動プーリ３と搬送ベルト２の摩擦状態が変動しても、駆動および制動力ひいては搬送物の停止精度が影響を受けないようになっている。
【０００８】
図２は、図１の上側ベルト部分の断面を示したものです。
中央の平ベルト２の両側に平面平行に配置されたタイミングベルト６とがウレタン樹脂７で溶着接合されている。
また、図２においては、タイミングベルト６は搬送ベルト２の両側に配してあるが、タイミングベルト６の本数ならびにその配置位置はこれに限定されない。例えば、搬送ベルトの中央に設けるようにしても良い。
【図面の簡単な説明】
【０００９】
【図１】実施例を示す斜視図
【図２】実施例を示す断面図
【図３】従来例を示す側面図
【図４】別の従来例を示す側面図
【図５】別の従来例の断面図
【符号の説明】
【００１０】
３,１３，２３        駆動プーリ
５,２５        歯
６        タイミングベルト
７        接合部材 
８        従動プーリ
１１、２１        搬送物
１２、２２        搬送ベルト（平ベルト部）
１４,２４        停止位置
【図１】
0003148968.tif 000003
【図２】
0003148968.tif 000004
【図３】
0003148968.tif 000005
【図４】
0003148968.tif 000006
【図５】
0003148968.tif 000007
(57)【要約】      （修正有）【課題】ロールペーパーの折り畳みと切断、切り離しをスピーディに出来る安全、安価な器具を提供する。【解決手段】ガイド板１の上部にクランプ板３を配置し、ガイド板１の両端に固着されたサイドガイド２をベースとし既設のロールペーパーホルダーの内側に接着剤、ネジなどで固定する。これにより、片手で一定の長さで幾重にも折り畳み、切り離しが素早く出来るため、従来より短時間で使用可能で、またロールペーパーを無駄に使うことも無くなる。【選択図】図１
0003148946.tif 000002
【実用新案登録請求の範囲】
【請求項１】
ガイド板１の両端にサイドガイド２が固着され本器具の本体を形成し、ガイド板１の上部にクランプ板３が配置され、クランプ板３の両側にはクランプ軸４が固着され、クランプ軸４はサイドガイド２に設けられた支軸溝５に嵌合され、ガイド板前端１-１は緩やかな勾配形状で、ガイド板後端１-２は滑らかなアール形状を有するところを特徴とするロールペーパーの折り畳み、切り離し具。
【考案の詳細な説明】
【技術分野】
【０００１】
本考案はロールペーパーの折り畳み、切り離しをする為の器具に関する
【背景技術】
【０００２】
ロールペーパーを折り畳む技術としては、専用のペーパーホルダーにコの字の串状巻取り具を使う、又はアームを振り子作動し、つまみ重ねをする等がある。
ロールペーパーの切断、切り離しには、ほとんどがカバーのエッジで行われ、そのエッジがストレート状のもの、ノコギリ刃状のものがある。
【考案の開示】
【考案が解決しようとする課題】
【０００３】
ロールペーパーを折り畳むには回転、又は振り子のように動作する器具を数回作動し
折り重ねる。それらは一般的に行われている両手で交互に引き出すより時間と手間が
かかる。次に切断、切り離し工程では、一部の商品で鋭いカッター状のもの、
ノコギリ刃状のもの等があるが、安全面で懸念され切れ味に寿命がある。
【課題を解決するための手段】
【０００４】
ガイド板１の両端にサイドガイド２が固着され、本器具の本体を形成する。
ガイド板１の上部にクランプ板３が配置され、クランプ板３の両側にはクランプ軸４が
固着されている。クランプ軸４はサイドガイド２に設けられた支軸溝５に嵌合される。
ガイド板前端１-１は緩やかな勾配形状で、ガイド板後端１-２は滑らかなアール形状を
有する。
【考案の効果】
【０００５】
従来一般家庭ではロールペーパーを長く引き出し引き千切って、それを折り束ねて使用するのが普通です。本考案の器具は片手で一定の長さで幾重にも折り畳み、切り離しが素早く出来るため、従来より短時間で使用可能に出来る。ペーパーの切断も従来のカバーエッジ等の刃状部を必要としないので、安全性が高い。またロールペーパーを無駄に使うことが無くなり、我が家では使用量が半減した。本器具は既設のロールペーパーホルダーに接着剤、ネジ等で取り付けて使用するシンプルな単独構造であるので、安価に大量生産が出来る。
【考案を実施するための最良の形態】
【０００６】
図１の全体図に示すように、本器具の構造はガイド板１の両端に固着されたサイドガイド２をベースとし、サイドガイド２の後端部が既設のペーパーホルダーの内側に接着剤、
ネジなどで固定される。クランプ板３はロールペーパーが通過できる隙間を空けてガイド板１の上部に配置され、クランプ軸４を支軸として揺動し、ロールペーパーを切断する際テコとなり、ロールペーパーをロックする。又クランプ板３は最初に引き出すペーパーを通すために簡易に開閉又は取り外せる構造としなければならない。
試作品ではサイドガイド２の軸受け部にエル字形状の溝を加工して容易に取り外せるようにした。
【０００７】
図２で使用方法を示す。
ロールペーパーをＡ位置からＢ位置に引き出す。次にガイド板前端１-１のＡ位置に折ったペーパーを押し付け、２回目のつまみ重ねをしてペーパーを引き出す。
これを数回繰り返し適当な厚みに重ね合わせる。
つまみ重ねをしたペーパーの束を引き上げることでクランプ板３がテコとなりロールペーパーをロックしペーパーはミシン目位置で切れる。
【図面の簡単な説明】
【０００８】
【図１】全体を示した立体図である
【図２】折り重ね、切断、切り離し使用図である
【符号の説明】
【０００９】
１      ガイド板
１−１  ガイド板前端
１−２  ガイド板後端
２      サイドガイド
２−１  サイドガイド後端
３      クランプ板
４      クランプ軸
５      支軸溝
【図１】
0003148946.tif 000003
【図２】
0003148946.tif 000004
(57)【要約】      （修正有）【課題】食中毒の危険性を充分に回避し、かつこのため食材に応じたまな板の交換が容易なシート状まな板を提供する。【解決手段】まな板１０は概ね長方形をなし、その面積の大部分をなす調理部１と、この調理部１の長方形の短辺に設けた凸部をなす取手部２を有する。まな板の材料としては、調理に必要な耐熱性、衛生上の条件を備えた汎用の種々の材料がいずれも用いられてよく、通常、ポリエチレン、ポリプロピレンなどのプラスチック、或いはエラストマーを用いる。まな板の厚さは０.５〜５ｍｍ、好ましくは０.８〜２ｍｍの前記材料からなるシート又はフィルムとする。まな板１０の取手部２には個々のまな板が取り扱い対象とすべき食材、例えば野菜、果物、魚、又は肉類などに応じて、これを示す絵柄・イラストを切り抜いた切抜き部３を設ける。まな板１０は安価で収納も容易であり、調理対象食材毎に用意し、複数枚数をセットで使用することができる。【選択図】図１
0003148978.tif 000002
【実用新案登録請求の範囲】
【請求項１】
取り扱う食材を表す絵柄を切り抜いた切抜き部を設けてなるシート状のまな板。
【請求項２】
前記切抜き部をまな板の取手部に設けてなる請求項１のまな板。
【請求項３】
切抜き部の絵柄が異なる複数の請求項１のまな板を組み合わせたまな板セット。
【請求項４】
複数のまな板の色が異なる請求項３のまな板セット。
【考案の詳細な説明】
【技術分野】
【０００１】
本考案はまな板に関する。本考案のまな板はシート状であり、野菜、果物、魚、肉類など取り扱う食材に応じて取り替えて用いる。
【背景技術】
【０００２】
調理に用いられるまな板は、表面に野菜、果物、魚、肉類など、様々な食材をのせ、主に食材を切るために使用する。調理において食中毒を防止することは基本であるが、このためには特にまな板に気をつける必要がある。まな板を原因とする食中毒等を防止するには、まな板の表面を清浄に保持し、雑菌の増殖を防止することが重要であり、このためまな板の使用後、あるいは使用前には表面を水洗することが肝要である。
【０００３】
しかしながら、水洗のみでは、まな板表面の充分な除菌ができず、まな板に付着した雑菌によって食品、食材が汚染され食中毒が発生する危険がある。さらに、熱湯をまな板の表面にかけ熱湯消毒する方法もあるが、熱湯による火傷の危険もありしばしば実行することは実際的でない。
また、食中毒を引き起こす腸炎ビブリオ菌は塩分で増殖するといわれており、生魚を切った後、そのまま塩気のある食材の調理は避けた方がよく、肉や魚と野菜類は同じまな板で切るのは好ましくないといわれる。このような観点から、処理する食材によりまな板を替えることが好ましい。しかしながら、野菜、果物、魚、肉類など様々な食材に応じて専用のまな板を準備し、使い分けることは置き場所の点からも問題が多い。
【０００４】
このような観点からシート状のまな板を複数準備する提案もある。このようなまな板は処理する食材に応じてまな板を使い分けるように、色をかえたり、まな板に取り扱う食材の絵柄を描いたりして区別できるようにされている。しかしながら、色を変えただけでは食材の種類を混同しやすい。また、シートに絵柄を印刷したまな板では使用しているうちに印刷部分が損傷して見づらくなる。また、シート表面をエンボス加工や切削加工して、取り扱う食材の絵柄を表したまな板も考えられるが、忙しい調理の最中には一瞥しては判別しづらい。
参考文献：意匠登録第１３１２５０７号
【考案の開示】
【考案が解決しようとする課題】
【０００５】
本考案の目的は、食中毒の危険性を充分に回避し、かつこのための食材に応じたまな板の交換が容易なシート状まな板を提供することにある。
【課題を解決するための手段】
【０００６】
本考案は、取り扱う食材を表す絵柄を切り抜いた切抜き部を設けてなるシート状のまな板を提供するものである。前記の切抜き部はまな板の取手部に設けるのが好ましい。
このような取り扱う食材に応じ切抜き部の絵柄が異なる複数のまな板を組み合わせたまな板セットを製品とするのが好ましい。さらに、複数のまな板の色を換えて切抜き部の絵柄と合わせてまな板の区別を容易にしたまな板セットとするのがよい。
【考案の効果】
【０００７】
本考案のまな板は取り扱う食材に応じたシンボルイラストが切り抜いてあり、個々のまな板の適用食材、用途が一瞥して判明し、その表示機能の耐久性も極めて高い。
【考案を実施するための最良の形態】
【０００８】
つぎに図面を参照しながら本考案のシート状のまな板を具体例により更に詳細に説明する。図１は本考案のまな板を示す斜視図、図２はこれを湾曲させたところを示す斜視図、図３は複数のまな板の組み合わせを示す説明図、図４はまな板の切抜き部を示す斜視図、図５はまな板をフックに掛けたところを示す斜視図である。
【０００９】
図１及び図２に示す本考案まな板の具体例において、まな板１０は概ね長方形をなし、その面積の大部分をなす調理部１と、この調理部１の長方形の短辺に設けた凸部をなす取手部２を有する。まな板の材料としては、調理に必要な耐熱性、衛生上の条件を備えた汎用の種々の材料がいずれも用いられてよく、通常、ポリエチレン、ポリプロピレンなどのプラスチック、或いはエラストマーを用いることができる。
本考案のまな板の厚さは０.５〜５ｍｍ、好ましくは０.８〜２ｍｍの前記材料からなるシート又はフィルム(以下、単にシートという)であり軽量で容易に湾曲する(図２)。
まな板１０の取手部２には個々のまな板が取り扱い対象とすべき食材、例えば野菜、果物、魚、又は肉類などに応じて、これを示す絵柄・イラストを切り抜いた切抜き部を設ける。図３に示すように切抜き部を設けた複数(この具体例では４枚)のまな板10a,10b,10c,10dを１組として製品の販売形態とする。さらに、各まな板は色の異なるシート材を用いて作製することにより、まな板の対象食材をより明確に区別することができ好ましい。
【００１０】
使用後、まな板１０は切抜き部３を壁面等に設けたフック２０にかけてキッチンの壁面などに簡便に収納整理できる(図４，図５)。
【産業上の利用可能性】
【００１１】
本考案は家庭において食品衛生上の安全性に優れ、取り扱いも容易なまな板を提供することができる。
【図面の簡単な説明】
【００１２】
【図１】本考案のまな板を示す斜視図である。
【図２】本考案のまな板を湾曲させたところを示す斜視図である。
【図３】本考案のまな板を複数組み合わせたところを示す説明図である。
【図４】本考案のまな板の切抜き部を示す斜視図である。
【図５】本考案のまな板をフックに掛けたところを示す斜視図である。
【符号の説明】
【００１３】
１  調理部        ２  取手部      ３  切抜き部    
１０  まな板      ２０  フック
【図１】
0003148978.tif 000003
【図２】
0003148978.tif 000004
【図３】
0003148978.tif 000005
【図４】
0003148978.tif 000006
【図５】
0003148978.tif 000007
(57)【要約】      （修正有）【課題】直線のラインを真っすぐに引くことができ、運搬も楽にできるコンパクトタイプ４輪ライン引きを提供する。【解決手段】既存のライン引きの本体下部斜め前方に、車軸取り付け用フレームを溶接等で固定し、車軸取り付け用フレームに車軸を通し、後輪と同径の車輪を車軸の左右に取り付け前輪としたことを特徴とするコンパクトタイプ４輪ライン引きである。４輪にすることで走行安全性を高め、より正確に直線が引きやすくなる。【選択図】図１
0003148804.tif 000002
【実用新案登録請求の範囲】
【請求項１】
グランドに白線等を引くライン引きについて。
既存の２輪ライン引きに、同じ径の車輪を使用し４輪の構造にしたライン引き。
前輪の車軸を取り付けるためのスチールフレームを、本体下部、斜め下前方に固定して、４輪構造にしたコンパクトタイプライン引き。
【考案の詳細な説明】
【技術分野】
【０００１】本考案は、グランドに白線等のラインを引く時に使用するライン引きに関する。
【背景技術】
【０００２】従来の４輪ライン引きはかなり大型の構造であった。
従来のコンパクトタイプのライン引きは２輪であった。一部、前輪に小さい車輪がついたものがあったが、運搬用補助輪としてのものであった。
【考案の開示】
【考案が解決しようとする課題】
【０００３】しかし、２輪のライン引きでは、グランドの表面のちょっとした凹凸等の影響を受けやすく、左右にブレてラインを真っすぐに引きにくい。
【課題を解決するための手段】
【０００４】そこで、既存のコンパクトタイプのライン引きの車輪の前方に同じ径の車輪を２つ取り付け、４輪にすることにより、走行安定性を高める。
【考案の効果】
【０００５】よって、本考案の走行安定性を向上させたコンパクトタイプ４輪ライン引きで、直線のラインを真っすぐに引き易くなり、ライン引きを支える手の力もかなり楽になる。破線も、後輪を上げ下げすることにより、比較的楽に引ける。
前輪を浮かせることで、円、コーナーのカーブも引くことが可能である。
スタンドが不要となり、スタンドを道糸などのガイドとして、より地面に近づけて取り付けが可能になり、より正確に直線が引きやすくなる。
また、後輪を浮かせることにより、前輪を使用した運搬が楽にできる。
【考案を実施するための最良の形態】
【０００６】本考案に係るコンパクトタイプ４輪ライン引きは図１に示すように、ホイールベースを設けることにより、直進性に安定性を向上させ、直線のラインを真っすぐに引き易くする。前輪の取り付け位置は、ラインを引くときに、最適の角度になる位置で取り付けることでラインが引き易くなる。又、後輪と同じように、前輪も左右車軸に固定され、同時に回転する構造にする。
【図面の簡単な説明】
【０００７】
【図１】本考案に係る側面図である。
【図２】従来の２輪ライン引きの側面図である。
【図３】本考案に係る、車軸取り付け用フレーム、底面用の斜視図である。
【図４】本考案に係る、車軸取り付け用フレームを本体底面に固定した、要部拡大側面図である。
【図５】本考案に係る、車軸取り付け用フレームを本体底面に固定し、車軸、車輪を取り付けた、要部拡大正面図である。
【図６】本考案に係る、車軸取り付け用フレーム、左右側面固定用の斜視図である。
【図７】本考案に係る、車軸取り付け用フレームを、本体左右側面に固定した、要部拡大側面図である。
【図８】本考案に係る、車軸取り付け用フレームを、本体左右側面に固定し、車軸、車輪を取り付けた、要部拡大正面図である。
【符号の説明】
【０００８】  １  ハンドル
２  本体
３  後輪
４  前輪
５  スタンド
６  車軸
７  底面用車軸取り付け用フレーム
８  側面用車軸取り付けフレーム
９  ガイド
１０  地表
【図１】
0003148804.tif 000003
【図２】
0003148804.tif 000004
【図３】
0003148804.tif 000005
【図４】
0003148804.tif 000006
【図５】
0003148804.tif 000007
【図６】
0003148804.tif 000008
【図７】
0003148804.tif 000009
【図８】
0003148804.tif 000010
【手続補正書】
【提出日】平成20年11月19日(2008.11.19)
【手続補正１】
【補正対象書類名】実用新案登録請求の範囲
【補正対象項目名】全文
【補正方法】変更
【補正の内容】
【実用新案登録請求の範囲】
【請求項１】
（１）既存のライン引きの本体下部、斜め前方に、車軸取り付け用フレームを、溶接等で固定し、
（２）車軸取り付け用フレームに、車軸を通し、後輪と同径の車輪を車軸の左右に取り付け、前輪とし、
以上からなるコンパクトタイプ４輪ライン引き。
(57)【要約】      （修正有）【課題】上着着用時脇下に汗が溜まりにくく、蒸れを防ぐことができる夏物上着を提供する。【解決手段】脇下の熱を逃がし蒸れを少なくすることができるように、上着の脇下及び袖部分に窓を開け、メッシュ裏地１２にてカバーリングして該上着を構成する。【選択図】図１
0003148802.tif 000002
【実用新案登録請求の範囲】
【請求項１】
夏物上着の脇下及び袖の下部分に窓を切りメッシュ裏地にてカバーリングしたスーツ及びジャケット。
【考案の詳細な説明】
【技術分野】
【０００１】この考案は、脇下の蒸れを防いで夏涼しく着用ができる。
【背景技術】
【０００２】夏の屋外にて上着を着用しても脇下の汗を吸水速乾するメッシュ素材で窓を作り蒸れを防ぐため快適な着用感がある。
【考案が解決しようとする課題】
【０００３】今までの夏物背広で涼しくする方法としては表地を薄くするか、裏地を省略すかがほとんどだったがこの製品は熱のこもる部分に直接窓をあけることにより熱を逃がすことで脇下の蒸れを防ぐ。
【考案の効果】
【０００４】脇下に汗がにじむ事がなく着用時に動きも妨げずむしろメッシュ使いにより動きがらくになります。
【図面の簡単な説明】
【０００５】
【図１】上着表側の脇下
【図２】上着裏側背抜き仕様
【図３】上着裏側半裏仕様
【符号の説明】
【０００６】１０  袖表側
１１  脇表側
１２  メッシュ
１３  脇裏側メッシュ
１４  裏地
１５  背裏側メッシュ
１６  袖裏側メッシュ（下袖）
【図１】
0003148802.tif 000003
【図２】
0003148802.tif 000004
【図３】
0003148802.tif 000005
【手続補正書】
【提出日】平成20年11月19日(2008.11.19)
【手続補正１】
【補正対象書類名】実用新案登録請求の範囲
【補正対象項目名】全文
【補正方法】変更
【補正の内容】
【実用新案登録請求の範囲】
【請求項１】
表側の脇下及び袖の下部分に窓を切りメッシュ裏地にてカバーリングをすることにより脇下の熱を逃がし蒸れを少なくした夏物上着。